(57)【要約】【課題】赤外線信号の伝達経路を容易に構築可能で且つ天井面の有効活用を可能とすることができる照明器具及びそれを備えた照明システムを提供すること。【解決手段】照明器具をダクトレールに支持されるものとし、且つ、各照明器具に対して２組の受光部４２０，４３０及び発光部４２５，４３５を設けた。受光部４２０，４３０及び発光部４２５，４３５は、ダクトレールと平行で且つ互いに逆方向（逆方位）となる２つの方向における赤外線信号の伝達を可能とするように、配置した。かかる照明器具を用いれば、既存のものと異なる形態の照明システムを柔軟に構築することができる。【選択図】図４
2010251030.tif 000002
【特許請求の範囲】
【請求項１】
所定方向に沿って延びるダクトレールに支持され得るコントロールボックスと、該コントロールボックスに支持され且つ該コントロールボックスにより制御される灯体とを備える照明器具であって、
前記コントロールボックスは、第１受光部及び第１発光部と、第２受光部及び第２発光部と、制御部と、それらを収容する筐体とを備えており、
前記第１受光部及び前記第１発光部は、前記所定方向と平行に延びる第１線を想定した場合に当該第１線上に位置しており、
前記第２受光部及び前記第２発光部は、前記第１線と平行に延びる第２線を想定した場合に当該第２線上に位置しており、
前記第１受光部から前記第１発光部に向かう方向に沿って前記コントロールボックスを見た場合に前記第１受光部と前記第２発光部とが並び、且つ、前記第２受光部から前記第２発光部に向かう方向に沿って前記コントロールボックスを見た場合に前記第１発光部と前記第２受光部とが並ぶように、前記筐体は前記第１受光部及び前記第２受光部並びに前記第１発光部及び前記第２発光部を保持しており、
前記制御部は、前記第１受光部又は前記第２受光部にて受信した赤外線信号に基づいて前記灯体を制御すると共に、必要に応じて前記第１発光部又は前記第２発光部から赤外線信号を出力させるものである
照明器具。
【請求項２】
請求項１記載の照明器具であって、
前記灯体の向きを検知する検知手段を更に備えており、
前記制御部は、前記検知手段の検知結果に従い、前記灯体を制御する
照明器具。
【請求項３】
所定方向に沿って延びるダクトレールと、該ダクトレールに取り付けられた複数の照明器具とを備える照明システムであって、
前記照明器具の夫々は、前記ダクトレールに支持されたコントロールボックスと、該コントロールボックスに支持され且つ該コントロールボックスにより制御される灯体とを備えており、
前記コントロールボックスは、第１受光部及び第１発光部と、第２受光部及び第２発光部と、制御部と、それらを収容する筐体とを備えており、
前記第１受光部及び前記第１発光部は、前記所定方向と平行に延びる第１線を想定した場合に当該第１線上に位置しており、
前記第２受光部及び前記第２発光部は、前記第１線と平行に延びる第２線を想定した場合に当該第２線上に位置しており、
前記第１受光部から前記第１発光部に向かう方向に沿って前記コントロールボックスを見た場合に前記第１受光部と前記第２発光部とが並び、且つ、前記第２受光部から前記第２発光部に向かう方向に沿って前記コントロールボックスを見た場合に前記第１発光部と前記第２受光部とが並ぶように、前記筐体は前記第１受光部及び前記第２受光部並びに前記第１発光部及び前記第２発光部を保持しており、
前記制御部は、前記第１受光部又は前記第２受光部にて受信した赤外線信号に基づいて前記灯体を制御すると共に、必要に応じて前記第１発光部又は前記第２発光部から赤外線信号を出力させるものである
照明システム。
【請求項４】
請求項１記載の照明システムであって、
赤外線信号を出力可能なリモートコントローラを更に備えており、
前記複数の照明器具のうちのいずれか一つの前記第１受光部又は前記第２受光部に向けて前記リモートコントローラから前記赤外線信号が出力されると、隣接する前記照明器具に対して順々に赤外線信号が伝達され、それによって各照明器具における前記灯体の制御が行われる
照明システム。
【請求項５】
請求項３又は請求項４記載の照明システムであって、
前記ダクトレールとは異なる付加的なダクトレールと、
該付加的なダクトレールに取り付けられた複数の付加的な照明器具と、
前記ダクトレールに取り付けられた前記照明器具を伝達されてきた信号を前記付加的な照明器具に伝達する中継装置と
を更に備えている、照明システム。
【請求項６】
請求項３乃至請求項５のいずれかに記載の照明システムであって、
前記照明器具は、前記灯体の向きを検知する検知手段を更に備えており、
前記制御部は、前記検知手段の検知結果に従い、前記灯体を制御する
照明システム。
【発明の詳細な説明】
【技術分野】
【０００１】
本発明は、スポットライトのような複数の照明器具を連動制御させる照明システムに関する。
【背景技術】
【０００２】
複数の照明器具をダクトレール（ライティングダクト又はライティングレール）に取り付け、それらを制御する照明システムの概要については、例えば、特許文献１に開示されている。
【０００３】
また、ダクトレールなどを介さずに天井面に照明器具を直接取り付ける照明システムとしては、例えば、特許文献２に開示されたものがある。特許文献２に開示された照明システムにおいては、親機から発せられた赤外線信号が直列に並べられた照明器具に順次伝達されていくことにより、複数の照明器具の制御が行われる。これにより、特許文献２の照明システムでは、照明器具間の配線レス化が実現されている。
【先行技術文献】
【特許文献】
【０００４】
【特許文献１】特開２００６−９３０６５号公報
【特許文献２】特開２００５−６３８５９号公報
【発明の概要】
【発明が解決しようとする課題】
【０００５】
赤外線信号の直線性を考慮すると、特許文献１の照明システムでは親機から近い位置にある子機が親機から遠い位置にある子機への信号伝達経路を遮断してしまうため、特許文献１の照明システムにおける赤外線信号の利用は事実上困難である。従って、特許文献１の照明システムでは、特許文献２のような配線レス化は容易には為し得ない。
【０００６】
一方、特許文献２の照明システムでは、赤外線信号を用いた信号伝達を実現することができるものの、信号伝達経路を確保するためには、各照明器具の天井面上における位置決めを正確に行わなければならない。また、特許文献２によれば、天井面への取り付け後に微調整を行うための機構を各照明器具に組み込む必要がある。
【０００７】
更に、特許文献１記載の照明システムの場合も特許文献２記載の照明システムの場合も、親機を必要とすることから、天井面の有効活用ができないという問題がある。
【０００８】
そこで、本発明は、赤外線信号の伝達経路を容易に構築可能で且つ天井面の有効活用を可能とすることができる照明器具及びそれを備えた照明システムを提供することを目的とする。
【課題を解決するための手段】
【０００９】
本発明によれば、第１の照明器具として、所定方向に沿って延びるダクトレールに支持され得るコントロールボックスと、該コントロールボックスに支持され且つ該コントロールボックスにより制御される灯体とを備える照明器具であって、
前記コントロールボックスは、第１受光部及び第１発光部と、第２受光部及び第２発光部と、制御部と、それらを収容する筐体とを備えており、
前記第１受光部及び前記第１発光部は、前記所定方向と平行に延びる第１線を想定した場合に当該第１線上に位置しており、
前記第２受光部及び前記第２発光部は、前記第１線と平行に延びる第２線を想定した場合に当該第２線上に位置しており、
前記第１受光部から前記第１発光部に向かう方向に沿って前記コントロールボックスを見た場合に前記第１受光部と前記第２発光部とが並び、且つ、前記第２受光部から前記第２発光部に向かう方向に沿って前記コントロールボックスを見た場合に前記第１発光部と前記第２受光部とが並ぶように、前記筐体は前記第１受光部及び前記第２受光部並びに前記第１発光部及び前記第２発光部を保持しており、
前記制御部は、前記第１受光部又は前記第２受光部にて受信した赤外線信号に基づいて前記灯体を制御すると共に、必要に応じて前記第１発光部又は前記第２発光部から赤外線信号を出力させるものである
照明器具が得られる。
【００１０】
また、本発明によれば、第２の照明器具として、第１の照明器具であって、
前記灯体の向きを検知する検知手段を更に備えており、
前記制御部は、前記検知手段の検知結果に従い、前記灯体を制御する
照明器具が得られる。
【００１１】
本発明によれば、第１の照明システムとして、
所定方向に沿って延びるダクトレールと、該ダクトレールに取り付けられた複数の照明器具とを備える照明システムであって、
前記照明器具の夫々は、前記ダクトレールに支持されたコントロールボックスと、該コントロールボックスに支持され且つ該コントロールボックスにより制御される灯体とを備えており、
前記コントロールボックスは、第１受光部及び第１発光部と、第２受光部及び第２発光部と、制御部と、それらを収容する筐体とを備えており、
前記第１受光部及び前記第１発光部は、前記所定方向と平行に延びる第１線を想定した場合に当該第１線上に位置しており、
前記第２受光部及び前記第２発光部は、前記第１線と平行に延びる第２線を想定した場合に当該第２線上に位置しており、
前記第１受光部から前記第１発光部に向かう方向に沿って前記コントロールボックスを見た場合に前記第１受光部と前記第２発光部とが並び、且つ、前記第２受光部から前記第２発光部に向かう方向に沿って前記コントロールボックスを見た場合に前記第１発光部と前記第２受光部とが並ぶように、前記筐体は前記第１受光部及び前記第２受光部並びに前記第１発光部及び前記第２発光部を保持しており、
前記制御部は、前記第１受光部又は前記第２受光部にて受信した赤外線信号に基づいて前記灯体を制御すると共に、必要に応じて前記第１発光部又は前記第２発光部から赤外線信号を出力させるものである
照明システムが得られる。
【００１２】
本発明によれば、第２の照明システムとして、第１の照明システムであって、
赤外線信号を出力可能なリモートコントローラを更に備えており、
前記複数の照明器具のうちのいずれか一つの前記第１受光部又は前記第２受光部に向けて前記リモートコントローラから前記赤外線信号が出力されると、隣接する前記照明器具に対して順々に赤外線信号が伝達され、それによって各照明器具における前記灯体の制御が行われる
照明システムが得られる。
【００１３】
本発明によれば、第３の照明システムとして、第１又は第２の照明システムであって、
前記ダクトレールとは異なる付加的なダクトレールと、
該付加的なダクトレールに取り付けられた複数の付加的な照明器具と、
前記ダクトレールに取り付けられた前記照明器具を伝達されてきた信号を前記付加的な照明器具に伝達する中継装置と
を更に備えている、照明システムが得られる。
【００１４】
本発明によれば、第４の照明システムとして、第１乃至第３のいずれかの照明システムであって、
前記照明器具は、前記灯体の向きを検知する検知手段を更に備えており、
前記制御部は、前記検知手段の検知結果に従い、前記灯体を制御する
照明システムが得られる。
【発明の効果】
【００１５】
本発明によれば、照明器具をダクトレールに支持されるものとしたことから、特許文献２の照明システムにおいて必要とされていたような照明器具の位置決めを特に行うことなく、赤外線信号の伝達経路を適切に構築することができる。
【００１６】
また、本発明によれば、各照明器具に対して２組の受光部及び発光部を設け、ダクトレールと平行で且つ互いに逆方向（逆方位）となる２つの方向における赤外線信号の伝達を可能とするように、上記２組の受光部及び発光部を配置することとしたため、既存のものと異なる形態の照明システムを柔軟に構築することができる。
【００１７】
例えば、上述したような照明器具を複数個ダクトレールに取り付けて照明システムを構築することとすると、ダクトレールに取り付けられた照明器具の一つに制御信号を入力することにより、他のすべての照明器具に制御信号を伝達することができることから、特許文献１や特許文献２記載の技術のように親機を配置するスペースを確保する必要がなく、天井面のような照明器具の取り付けスペースの有効活用を行うことができる。
【図面の簡単な説明】
【００１８】
【図１】本発明の第１の実施の形態による照明システムを概略的に示す図である。
【図２】図１の照明器具の外観を示す斜視図である。
【図３】図１の照明器具の外観を示す他の斜視図である。
【図４】図１の照明器具の構成を概略的に示す図である。
【図５】本発明の第２の実施の形態による照明システムを概略的に示す図である。
【図６】図５の照明器具の構成を概略的に示す図である。
【図７】本発明の第３の実施の形態による照明システムを概略的に示す図である。
【発明を実施するための形態】
【００１９】
以下、本発明の実施の形態による照明システムについて、図面を参照して詳細に説明する。
【００２０】
（第１の実施の形態）
図１に示されるように、本発明の第１の実施の形態による照明システム１００は、Ｘ方向に延びるダクトレール２００と、ダクトレール２００に取り付けられた複数の照明器具３００と、照明器具３００を制御するための赤外線信号を出力し得るリモートコントローラ６００とを備えている。
【００２１】
図１乃至図３に示されるように、各照明器具３００は、ダクトレール２００に支持されるコントロールボックス４００と、コントロールボックス４００に支持され且つそのコントロールボックス４００により制御される灯体５００とを備えている。本実施の形態による灯体５００は、発光源として複数のＬＥＤを備えるものであるが、本発明はこれに限定されるものではなく、他種の発光源を有するものであっても良い。
【００２２】
図２乃至図４に示されるように、コントロールボックス４００は、筐体４１０と、第１受光部４２０及び第１発光部４２５と、第２受光部４３０及び第２発光部４３５と、赤外線送受信基板（ＩＲ基板）４４０，４４５と、制御部４５０と、電源基板４６０とを備えている。以下、説明の便宜上、図４における左側を前方、図４における右側を後方とする。即ち、図２は、本実施の形態による照明器具３００を正面（前面）、右側面及び上面（平面）から見た斜視図であり、図３は、照明器具３００を背面、左側面及び上面から見た斜視図である。
【００２３】
図２及び図３に示されているように、筐体４１０は、Ｘ方向に長手を有する略直方体形状と略円筒形状とを略直方体形状の後端において組み合わせてなるような形状を有しており、その上端には、筐体４１０をダクトレール２００に取り付けるための第１支持部４１２及び第２支持部４１６が形成されている。第１支持部４１２は、筐体４１０の前端に設けられており、前端面をＺ方向に沿ってスライド可能なスライダ４１３と、スライダ４１３のスライドによりダクトレール２００内に挿入される被挿入部４１４と、スライダ４１３のスライドに連動してＹ方向に移動可能なフック４１５とを備えている。この第１支持部４１２は、スライダ４１３を上方向へスライドさせると、被挿入部４１４がダクトレール２００内に挿入し且つフック４１５がダクトレール２００に係止し、それによって、筐体４１０の前端をダクトレール２００に支持させることができる。一方、第２支持部４１６は、回動可能に取り付けられたレバー４１７と、レバー４１７の回転に応じて回転する略長方形形状の回転板４１８とを備えている。回転板４１８の短辺の長さは、ダクトレール２００へ挿入可能となるように選択されており、且つ、回転板４１８の長辺の長さは、ダクトレール２００内に保持され得るように（即ち、ダクトレール２００から抜けないように）選択されている。かかる第２支持部４１６は、レバー４１７を筐体４１０の側部に位置させた状態で回転板４１８をダクトレール２００内に挿入し、その後、レバー４１７を筐体４１０の後部まで移動させることにより、回転板４１８を回転させ、それによって、回転板４１８をダクトレール２００に係止させ、筐体４１０の後部をダクトレール２００に支持させることができる。
【００２４】
本実施の形態による筐体４１０には、ＩＲ基板４４０，４４５と、制御部４５０と、電源基板４６０が収容されており、また、第１受光部４２０及び第１発光部４２５と、第２受光部４３０及び第２発光部４３５が外部から視認し得る状態で保持されている。ここで、ＩＲ基板４４０は、第１受光部４２０及び第２発光部４３５に接続され、制御部４５０の制御の下、筐体４１０の前面側において赤外線信号の送受信を行う。同様に、ＩＲ基板４４５は、第１発光部４２５及び第２受光部４３０に接続され、制御部４５０の制御の下、筐体４１０の後面側において赤外線信号の送受信を行う。制御部４５０は、灯体５００に接続されており、ＩＲ基板４４０及び４４５を通じて、即ち、第１受光部４２０及び第１発光部４２５並びに第２受光部４３０及び第２発光部４３５を通じて行われる赤外線信号の送受信に基づいて、灯体５００の点灯、消灯、調光の制御を行う。なお、本実施の形態による制御部４５０には、電源プラグ（図示せず）等に接続された電源基板４６０を介して、電源が供給されており、ＩＲ基板４４０，４４５や灯体５００などは制御部４５０を介して電源を供給される。
【００２５】
詳しくは、第１受光部４２０及び第１発光部４２５は、Ｘ方向と平行に延びる第１線を想定した場合に当該第１線上に位置しており、第２受光部４３０及び第２発光部４３５は、第１線と平行に延びる第２線を想定した場合に当該第２線上に位置している。かかる配置関係により、照明器具３００をダクトレール２００に取り付けると、複数の照明器具３００の第１受光部４２０及び第１発光部４２５がすべて第１線上に位置し、同様に、第２受光部４３０及び第２発光部４３５がすべて第２線上に位置することとなる。即ち、本実施の形態によれば、赤外線信号の伝達経路が自動的に調整される。
【００２６】
更に、本実施の形態においては、第１受光部４２０と第２発光部４３５は、筐体４１０の前面側から見えるように筐体４１０に保持されており、第２受光部４３０と第１発光部４２５は、筐体４１０の後面側から見えるように筐体４１０に保持されている。即ち、第１受光部４２０から第１発光部４２５に向かう方向に沿って（即ち、前方から）コントロールボックス４００を見た場合に第１受光部４２０と第２発光部４３５とが並んでいる一方、第２受光部４３０から第２発光部４３５に向かう方向に沿って（即ち、後方から）コントロールボックス４００を見た場合に第１発光部４２５と第２受光部４３０とが並んでいる。
【００２７】
このように、本実施の形態においては、第１受光部４２０及び第１発光部４２５による赤外線信号伝達の方向と、第２受光部４３０及び第２発光部４３５による赤外線信号伝達の方向とが逆方向となっている。即ち、一つの照明器具３００から見ると、２方向へ赤外線信号を伝達することができるようになっている。これにより、複数の照明器具３００のうちのいずれか一つの第１受光部４２０又は第２受光部４３０に向けてリモートコントローラ６００から赤外線信号が出力されると、隣接する照明器具３００に対して順々に赤外線信号が伝達され、それによって各照明器具３００における灯体５００の制御が行われる。即ち、本発明によれば、複数の照明器具３００がダクトレール２００に取り付けられている際に、必ずしも端の照明器具３００から制御信号を入力する必要がない。従って、天井面などの面積の有効活用することができる。
【００２８】
加えて、赤外線信号の伝達経路が２方向であることから、一方を制御用赤外線信号の伝達経路として用い、他方の経路を制御用赤外線信号の受光確認用として用いることもできる。
【００２９】
（第２の実施の形態）
図５及び図６に示されるように、本発明の第２の実施の形態による照明システム１００ａは、上述した第１の実施の形態による照明システム１００の変形例である。従って、以下においては両者の異なる部分のみについて説明し、第１の実施の形態による照明システムと同一構成を有する構成要素については、図５及び図６において、図１乃至図４で用いた参照符号と同一の参照符号を付し、説明を省略することとする。
【００３０】
本実施の形態による照明システム１００ａにおける照明器具３００ａ１，３００ａ２のコントロールボックス４００ａには、灯体５００の向きを検知する検知手段が設けられている。
【００３１】
本実施の形態による検知手段は、具体的には、図６に示されるように、制御部４５０ａに設けられた２本の制御ピン４５２及び４５４と、灯体５００の向きに応じて制御ピン４５２及び４５４間を短絡する導体部４５６とを備えている。本実施の形態による制御部４５０ａは、この制御ピン４５２及び４５４間が導体部４５６によって短絡されているか又は開放されているかを検出することにより、灯体５００が前方及び後方のいずれに向けられているかを検出し、それに応じて、例えば、図５に示されるように、灯体５００が前方に向けられている照明器具３００ａ１のみを点灯させ、灯体５００が後方に向けられている照明器具３００ａ２については消灯させるといった制御を行うことができる。
【００３２】
（第３の実施の形態）
図７に示される本発明の第３の実施の形態による照明システム１００ｂは、上述した第１実施の形態による照明システム１００の変形例である。従って、以下においては両者の異なる部分のみについて説明し、第１の実施の形態による照明システムと同一構成を有する構成要素については、図７において、図１等で用いた参照符号と同一の参照符号を付し、説明を省略することとする。
【００３３】
本実施の形態による照明システム１００ｂは、第１の実施の形態による照明システム１００に加えて、付加的なダクトレール２００ｂと、付加的なダクトレール２００ｂに取り付けられた複数の付加的な照明器具３００ｂと、中継装置７００とを更に備えている。本実施の形態による付加的な照明器具３００ｂは、上述した照明器具３００と同一の構造を備えるものである。付加的なダクトレール２００ｂは、ダクトレール２００と平行となるように設けられているが、本発明はこれに制限されるものではなく、例えば、ダクトレール２００の延びる方向と付加的なダクトレール２００ｂの延びる方向とが所定の角度をなすようにして、配置されていても良い。
【００３４】
中継装置７００は、ダクトレール２００に取り付けられた照明器具３００を伝搬されてきた赤外線信号を付加的な照明器具３００ｂに伝達するためのものである。かかる中継装置７００を備えると、一つの照明器具３００又は４００ｂに制御信号を入力することにより、複数のダクトレール２００，２００ｂに取り付けられた多数の照明器具３００，３００ｂを一括して制御することが可能となる。
【符号の説明】
【００３５】
１００，１００ａ，１００ｂ      照明システム
２００        ダクトレール
２００ｂ        付加的なダクトレール
３００，３００ａ１，３００ａ２        照明器具
３００ｂ        付加的な照明器具
４００，４００ａ        コントロールボックス
４１０        筐体
４１２        第１支持部
４１３        スライダ
４１４        被挿入部
４１５        フック
４１６        第２支持部
４１７        レバー
４１８        回転板
４２０        第１受光部
４２５        第１発光部
４３０        第２受光部
４３５        第２発光部
４４０，４４５        赤外線送受信基板（ＩＲ基板）
４５０        制御部
４５２，４５４        制御ピン
４５６        導体部
４６０        電源基板
５００        灯体
６００        リモートコントローラ
７００        中継装置
【図１】
2010251030.tif 000003
【図２】
2010251030.tif 000004
【図３】
2010251030.tif 000005
【図４】
2010251030.tif 000006
【図５】
2010251030.tif 000007
【図６】
2010251030.tif 000008
【図７】
2010251030.tif 000009